(57)【特許請求の範囲】
【請求項１】
玩具本体と、それぞれに吹き口を備えた２本の筒体と、を備えたシャボン玉玩具であって、
前記玩具本体には、鉛直方向に穿設した２つの貫通穴がそれぞれ独立して並列し、
２本の前記筒体はそれぞれが独立し、それぞれが各前記貫通穴に立設し、各前記筒体内の通路と各前記貫通穴が連通していることを特徴とした、シャボン玉玩具。
【請求項２】
玩具本体と、２本の筒体と、を備えたシャボン玉玩具であって、
前記玩具本体は、浸漬板と膨出部とで構成し、前記浸漬板の表面から前記膨出部が膨出した凸形状であり、
前記浸漬板及び前記膨出部には、鉛直方向に穿設した２つの貫通穴がそれぞれ独立して並列し、
２本の前記筒体はそれぞれが独立し、それぞれが各前記貫通穴に立設し、各前記筒体内の通路と各前記貫通穴が連通していることを特徴とした、シャボン玉玩具。
【請求項３】
前記貫通穴には、内径の異なる第一段目の穴及び第二段目の穴を形成し、
前記第一段目の穴と前記第二段目の穴との境目を段部とすることを特徴とした、請求項１又は請求項２に記載のシャボン玉玩具。
【請求項４】
各前記貫通穴の内周面を凹凸形状としたことを特徴とした、請求項１乃至請求項３のいずれか１項に記載のシャボン玉玩具。
【請求項５】
請求項１に記載の前記玩具本体の裏面又は請求項２に記載の前記浸漬板の裏面は、平滑性を有することを特徴とした、請求項１乃至請求項４のいずれか１項に記載のシャボン玉玩具。
【請求項６】
前記玩具本体と２本の前記筒体とは一体又は着脱自在であることを特徴とした、請求項１乃至請求項５のいずれか１項に記載のシャボン玉玩具。
【請求項７】
請求項１に記載の前記玩具本体又は請求項２に記載の前記浸漬板を平面視略台形状、平面視略円形状、平面視略菱形状、平面視略多角形状、平面視略ハート形状のうちいずれかとすることを特徴とした、請求項１乃至請求項６のいずれか１項に記載のシャボン玉玩具。
【請求項８】
前記筒体の外周にフランジを備えたことを特徴とした、請求項１乃至請求項７のいずれか１項に記載のシャボン玉玩具。
【請求項９】
上方開放する受皿と、をさらに備え、
少なくとも前記受皿の内縁が請求項１に記載の前記玩具本体の外縁又は請求項２に記載の前記浸漬板の外縁よりも広口であることを特徴とした、請求項１乃至請求項８のいずれか１項に記載のシャボン玉玩具。
【発明の詳細な説明】
【技術分野】
【０００１】
本発明は、多重シャボン玉、より具体的には、一つのシャボン玉の中に一つ又は複数のシャボン玉（複合的シャボン玉）を生成することができるシャボン玉玩具に関する。
【背景技術】
【０００２】
主に子ども向け玩具の一つとして、シャボン玉を生成することができるシャボン玉玩具が広く知られているが、その中でも、一つのシャボン玉の中に一つ又は複数のシャボン玉を生成する、いわゆる多重、複合シャボン玉を生成することができるシャボン玉玩具がある。
【０００３】
特許文献１は、外管（２）の内部に固定した支え（７）を介して、内管（５）をとりつけ、１個の大きいしゃぼん玉の中に、１個以上の独立したしゃぼん玉を含む新規なしゃぼん玉（複合しゃぼん玉）を作る玩具である。
特許文献２は、口径の異なる開口部を、小径の開口部が大径の開口部の内側に位置するように配置し、上記両開口部に別々に連通する吹管を設けて成り、１本のシャボン玉吹器で大きなシャボン玉の中空に小さなシャボン玉を形成して内外二重のシャボン玉を吹き出すことができるシャボン玉吹器である。
特許文献３は、外管（２）の内側に、通気孔（４）を有する保持板（３）をとりつけ、保持板（３）に内管（６）をとりつける構成で、１個の大きいしゃぼん玉の中に、１個以上の独立したしゃぼん玉を含む新規なしゃぼん玉（複合しゃぼん玉）を作る、吹いて複合しゃぼん玉を作る玩具である。
【０００４】
【特許文献１】実開昭５８−１３２９８号公報
【特許文献３】実開昭５６−１７３３９７号公報
【特許文献２】特開昭５７−２１１３８３号公報
【発明の概要】
【発明が解決しようとする課題】
【０００５】
特許文献１に係る考案は、外管吹き込み口（１）と内管吹き込み口（４）が独立して設けられている実施態様が第４図で図示されているが、吹き出し口側の構成に関しては、外管吹き出し口（３）の中に内管吹き出し口（６）が配置されており、外管（２）の径が大きいため、大きなシャボン玉を作るための外管吹き込み口（１）から息を吹く際に労力が必要な場合があり、また、一つのシャボン玉の中に一つ又は複数のシャボン玉を生成することが困難な場合がある。
特許文献２に係る考案は、大径の開口部に連通する吹管、小径の開口部に連通する吹管が別々に設けているが、大径開口部（１）の内側に小径開口部（２）が配置されており、吹管（４）の径が大きいため、大きなシャボン玉を作るための吹口管（４）から息を吹く際に労力が必要な場合があり、また、一つのシャボン玉の中に一つ又は複数のシャボン玉を生成することが困難な場合がある。
また、特許文献１、特許文献２の場合、大きいしゃぼん玉を作る際の管の口と、大きいしゃぼん玉の中に入るしゃぼん玉を作る際の管の口がそれぞれ決まっているため、どちらの管の口で大きいしゃぼん玉を作るか否かを迷う場合がある。
特許文献３に係る発明は、吹き込み口（１）が一つであるため、一つのシャボン玉の中に一つ又は複数のシャボン玉を生成することが困難な場合がある。
【課題を解決するための手段】
【０００６】
そこで、本発明の目的は、誰でも簡単に一つのシャボン玉の中に一つ又は複数のシャボン玉（複合的シャボン玉）を生成することができるシャボン玉玩具を提供する。
【０００７】
請求項１の発明は、玩具本体と、それぞれに吹き口を備えた２本の筒体と、を備えたシャボン玉玩具であって、玩具本体には、鉛直方向に穿設した２つの貫通穴がそれぞれ独立して並列し、２本の筒体はそれぞれが独立し、それぞれが各貫通穴に立設し、各筒体内の通路と各貫通穴が連通していることを特徴とした、シャボン玉玩具である。
【０００８】
請求項２の発明は、玩具本体と、２本の筒体と、を備えたシャボン玉玩具であって、玩具本体は、浸漬板と膨出部とで構成し、浸漬板の表面から膨出部が膨出した凸形状であり、浸漬板及び膨出部には、鉛直方向に穿設した２つの貫通穴がそれぞれ独立して並列し、２本の筒体はそれぞれが独立し、それぞれが各貫通穴に立設し、各筒体内の通路と各貫通穴が連通していることを特徴とした、シャボン玉玩具である。
【０００９】
請求項３の発明は、貫通穴には、内径の異なる第一段目の穴及び第二段目の穴を形成し、第一段目の穴と第二段目の穴との境目を段部とすることを特徴とした、請求項１又は請求項２に記載のシャボン玉玩具である。
【００１０】
請求項４の発明は、各貫通穴の内周面を凹凸形状としたことを特徴とした、請求項１乃至請求項３のいずれか１項に記載のシャボン玉玩具である。
【００１１】
請求項５の発明は、請求項１に記載の玩具本体の裏面又は請求項２に記載の浸漬板の裏面は、平滑性を有することを特徴とした、請求項１乃至請求項４のいずれか１項に記載のシャボン玉玩具である。
【００１２】
請求項６の発明は、玩具本体と２本の筒体とは一体又は着脱自在であることを特徴とした、請求項１乃至請求項５のいずれか１項に記載のシャボン玉玩具である。
【００１３】
請求項７の発明は、請求項１に記載の玩具本体又は請求項２に記載の浸漬板を平面視略台形状、平面視略円形状、平面視略菱形状、平面視略多角形状、平面視略ハート形状のうちいずれかとすることを特徴とした、請求項１乃至請求項６のいずれか１項に記載のシャボン玉玩具である。
【００１４】
請求項８の発明は、筒体の外周にフランジを備えたことを特徴とした、請求項１乃至請求項７のいずれか１項に記載のシャボン玉玩具である。
【００１５】
請求項９の発明は、上方開放する受皿と、をさらに備え、少なくとも受皿の内縁が請求項１に記載の玩具本体の外縁又は請求項２に記載の浸漬板の外縁よりも広口であることを特徴とした、請求項１乃至請求項８のいずれか１項に記載のシャボン玉玩具である。
【発明の効果】
【００１６】
請求項１の発明によれば、誰でも簡単に一つの大きなシャボン玉の中に一つ又は複数の小さなシャボン玉を生成することができる。
【００１７】
請求項２の発明によれば、玩具本体を持ち易くすることができ、誰でも簡単に一つのシャボン玉の中に一つ又は複数のシャボン玉を生成することができる。
【００１８】
請求項３の発明によれば、玩具本体の貫通穴に安定して筒体を立設することができる。
【００１９】
請求項４の発明によれば、貫通穴の内周面を凹凸形状とすることによって、シャボン液を溜めることができ、シャボン玉を生成し易くすることができる。
【００２０】
請求項５の発明によれば、大きな一つのシャボン玉を生成し易くすることができる。
【００２１】
請求項６の発明によれば、玩具本体と筒体が一体の場合、製造工程の短縮により安価に製造することができ、また、筒体が玩具本体から着脱自在とすることができる場合、市販の筒体を使用することができる。
【００２２】
請求項７の発明によれば、本発明を様々な商品形態（販売形態）に合わせた形状とすることができる。
【００２３】
請求項８の発明によれば、筒体に備えたフランジの裏面が膨出部の表面に当接すると、
筒体がそれ以上貫通穴に進入することができないため、筒体を安定して各貫通穴に立設することができる。
【００２４】
請求項９の発明によれば、広口の受皿によって、しっかりとシャボン液を浸漬させることができ、また、シャボン液が玩具本体（浸漬板）から垂れても受皿で受けることができるため、床面にシャボン液が垂れることによる転倒等を回避することができる。
【図面の簡単な説明】
【００２５】
【図１】筒体を吹き口から見た状態の斜視図である。
【図２】筒体を発泡口から見た状態の斜視図である。
【図３】透視した筒体の正面図である。
【図４】一の例の玩具本体の平面図である。
【図５】図４の透視した正面図である。
【図６】図４の透視した側面図である。
【図７】図４の斜視図である。
【図８】他の例の玩具本体の正面図である。
【図９】一の例の玩具本体に２本の筒体を立設した状態の正面図である。
【図１０】２本の筒体を立設した一の例の玩具本体を受皿に入れた状態の側面図である。
【図１１】フランジを備えた筒体を発泡口から見た状態の斜視図である。
【図１２】フランジを備えた筒体を吹き口から見た状態の斜視図である。
【図１３】フランジを備えた筒体の正面図である。
【図１４】ストレート穴の玩具本体に２本の筒体を立設した状態の正面図（内部構造省略）である。
【図１５】図１４の側面図である。
【図１６】図１４を浸漬板側から図示した斜視図である。
【図１７】図１４を２本の筒体側から図示した斜視図である。
【図１８】両貫通穴の出口（発泡口）にシャボン液の膜が張った状態の斜視図である。
【図１９】図１８の状態から、徐々に膜が膨らみ始めた状態の斜視図である。
【図２０】図１９の状態から、浸漬板の裏面に沿ってさらに膨らみ、浸漬板の外周一杯に広がる１つの大きいシャボン玉を生成した状態の斜視図である。
【図２１】図２０の状態から、大きなシャボン玉の中に複数の小さなシャボン玉を生成するため、もう片方の筒体に息を吹き込み徐々に膜が膨らみ始めた状態の斜視図である。
【図２２】１つの大きいシャボン玉の中に複数の小さなシャボン玉を生成させた状態の斜視図である。
【図２３】複合的シャボン玉を空中に浮遊させた状態の図である。
【発明を実施するための形態】
【００２６】
本発明は、一つの大きなシャボン玉１００の中に一つ又は複数の小さなシャボン玉２００を生成する、複合的シャボン玉３００を生成するためのシャボン玉玩具１を提供する。以下、各図を参照しながら、本発明であるところのシャボン玉玩具１の実施形態について説明する。
【００２７】
本発明のシャボン玉玩具１は、図９で図示したように、玩具本体３と２本の筒体２０、そして、その他、図１０で図示したように、シャボン液を入れておき、このシャボン液に玩具本体３を浸漬するために使用する受皿３０とを構成物品とする。以下、それぞれの構成物品について説明する。
【００２８】
玩具本体３は、受皿３０に入れたシャボン液に浸漬する物品であり、また、２本の筒体２０が立設する本体となる物品である。玩具本体３と２本の筒体２０は、別部材の別体であっても、また、同一部材又は別部材の一体であってもよい。なお、本実施形態では主に、玩具本体３と２本の筒体２０が別部材の別体であることを前提として説明する。
【００２９】
玩具本体３の全体の形状としては、玩具本体３に２本の筒体２０が立設でき、また、シャボン液に浸漬することができればよく、どのような形状であっても問わないが、一の例として、図５、図７等で図示したような、浸漬板７と膨出部５とで構成し、浸漬板７の表面７ａから膨出部５が膨出した、全体として凸形状のものが挙げられる。したがって、この一の例においては、浸漬板７の外縁７ｄと膨出部５の外縁５ｄが相違することとなる。
【００３０】
浸漬板７は、受皿３０に入れたシャボン液に浸漬するための、文字通り板状の部材である。浸漬板７もシャボン液に浸漬することができればどのような形状であっても問わないが、一例として、図４等で図示した平面視略円形状の他、図示しないが、平面視略台形状、平面視略菱形状、平面視略多角形状、平面視略ハート形状等が挙げられる。その他、浸漬板の隅部を角丸形状としてもよい。また、大きさや厚み等も問わない。
【００３１】
浸漬板７をシャボン液に浸漬することによって、浸漬板７の主に裏面７ｂにはシャボン液が付着する。また、後述するように一つの大きなシャボン玉１００が生成する過程において、浸漬板７の裏面７ｂに沿いながら一つの大きなシャボン玉１００を大きく膨らませる必要があるため、浸漬板７の裏面７ｂは、平滑性を有する滑面とすることが望ましい。その他、浸漬板７の裏面７ｂを滑りやすくするためのコート剤を塗布しても良い。なお、後述する玩具本体３の他の例の場合は、玩具本体３の裏面３ｂが平滑性を有する滑面とするのが望ましい。このように平滑性を有する滑面とすることにより、複合的シャボン玉３００を生成した後、再度浸漬板７や玩具本体３の裏面３ｂをシャボン液に浸漬しなくても、浸漬板７に付着している残りのシャボン液が滑り落ちることよって貫通穴１０の出口（発泡口１７）にシャボン液を膜状に付着させることができるため、複合的シャボン玉３００を生成することができる場合がある。
【００３２】
図１０で図示したように、浸漬板７の裏面７ｂの反対側である表面７ａから膨出部５が膨出しており、この膨出部５に２本の筒体２０が並列して立設する。以下、玩具本体３の膨出部５について説明する。
【００３３】
膨出部５は、２本の筒体２０が直接立設する部材である。膨出部５の形状は、図４等で図示したような略楕円柱形状の他、図示しないが、略円柱形状、略方形状、略角丸方形状、平面視略台形状、平面視略菱形状、平面視略多角形状、平面視略ハート形状等、様々な形状が考えられる。
【００３４】
玩具本体３を持ちやすくするため、また、滑り止め機能を備えるため、膨出部５の周面５ａに凹凸を設けてもよい。すなわち、膨出部５の周面５ａの指が触れる部分においては凹部（不図示）や凸部（不図示）を設けることによって玩具本体３を使用する際しっかりと保持することができる。特に、本発明は性質上滑りやすいシャボン液を使用するものであるため、周面５ａの凹部（不図示）や凸部は極めて有用である。
【００３５】
玩具本体３には、鉛直方向Ｖに穿設した２つの貫通穴１０がそれぞれ独立して並列している。浸漬板７と膨出部５とで構成する全体として凸形状である一の例の実施形態においては、膨出部５から浸漬板７にかけて鉛直方向Ｖに２つの貫通穴１０が穿設している。すなわち、前記浸漬板及び前記膨出部には、鉛直方向Ｖに穿設した２つの貫通穴がそれぞれ独立して並列している。
【００３６】
貫通穴１０は、筒体２０の吹き口２１から吹いた空気を外部へ排出するための玩具本体３を鉛直方向Ｖに貫通している穴である。その形状は、段部１５がないストレート穴であっても、段部１５がある二段穴（二段の貫通穴）であってもよい。二段穴の場合、内径の異なる第一段目の穴及び第二段目の穴を形成し、第一段目の穴と第二段目の穴との境目を段部１５としている。筒体２０挿入側の第一段目の穴１１は、筒体２０の発泡口２５を挿入できる径である必要があり、第一段目の穴１１に続く第二段目の穴１２は、第一段目の穴１１よりも小径となる。すなわち、第一段目の穴１１の径は第二段目の穴１２の径より大きく、第二段目の穴１２の径は第一段目の穴１１の径より小さい。第一段目の穴１１には筒体２０の発泡口２５を挿入することができるが、第二段目の穴１２には筒体２０の発泡口２５を挿入することができない。これにより、第一段目の穴１１に筒体２０の発泡口２５を挿入した場合は、段部１５の表面１５ａに筒体２０の発泡口２５の先端２０ａが接地することとなる。また、段部１５を浸漬板７の表面７ａとしてもよい。この場合は、浸漬板７の表面７ａに筒体２０の発泡口２５の先端２０ａが接地することとなる。
【００３７】
なお、ストレート穴の場合、貫通穴１０に筒体２０を挿入し、押し進んだ場合は、筒体２０の発泡口２５の先端と浸漬板７の裏面７ｂとを面一とすることができ、また、筒体２０の発泡口２５の先端が浸漬板７の裏面７ｂから突出することもできる。特に、段部１５がないストレート穴の場合、筒体２０の外周、例えば、発泡口２５の吹き口２１側にフランジ２５ｆを備えるような別の構成を備えた筒体２０を利用することによって、安定して各筒体２０を各貫通穴に立設することができる。この構成によれば、フランジ２５ｆの裏面２５ｆ１が膨出部５の表面５ｂに当接することとなり、安定する（図１１から図１７参照）。
【００３８】
フランジ２５ｆは、筒体２０の外周であればどこに備えてもよい。また、突出していればよく、形状等は問わない。その他、フランジ２５ｆを備えた筒体２０は、貫通穴１０が二段穴の玩具本体３であっても利用することができる。なお、図１１から図１７に関しては、玩具本体３及び筒体２０の内部構造は他と同一であるため省略する。
【００３９】
筒体２０が玩具本体３と別体の場合、貫通穴１０に筒体２０を支持するための支持凸部１１ｂを貫通穴１０の内周面に複数個備えていることが望ましい。具体的には、二段穴の場合は、第一段目の穴１１の内周面１１ａに複数個の支持凸部１１ｂを備え、発泡口２５の外周を支持凸部１１ｂで支持することによって、貫通穴１０に筒体２０を支持し立設することができる。
【００４０】
さらに、貫通穴１０の内周面を凹凸形状とすることが望ましい。具体的には、二段穴の場合は、第二段目の穴１２の内周面１２ａを凹凸形状とする。このように凹凸形状とすることによって、シャボン液に浸漬板７を浸漬した際も第二段目の穴１２の付近のシャボン液がすぐさま流れ落ちず、第二段目の穴１２の出口付近にシャボン液が膜状に付着しやすくなる。もちろん、貫通穴１０がストレート穴の場合も貫通穴１０の内周面を凹凸形状とすることが望ましい。
【００４１】
図１０等では、第二段目の穴１２の内周面１２ａに６個の液溜り凸部１２ｂを備えることによって凹凸形状としているが、この液溜り凸部１２ｂの位置、大きさ、数は問わないため、適宜選択することができる。また、貫通穴１０内に段部１５がないストレート穴の場合は、筒体２０の発泡口２５の内周面２５ａに液溜り用の多数の突状２６を備えていれば、これらの突状２６にシャボン液が溜まることとなるため、貫通穴１０の内周面に液溜り凸部１２ｂを備えていなくても、液溜り凸部１２ｂを備えているのと同様の効果を奏することができる。
【００４２】
また、玩具本体３の全体の他の例の形状としては、一例として、図８で図示した略円柱形状の他、図示しないが、略楕円柱形状、略方形状、略角丸方形状が挙げられる。その他、略台形状、略菱形状、略多角形状、略ハート形状等であってもよい。この場合、玩具本体の軽量化を図るため、適所に一又は複数の肉抜きや、内部の適所に一又は複数の空洞を設けてもよい。また、大きさ等も問わない。
【００４３】
玩具本体３が浸漬板７と膨出部５とで構成する全体として凸形状の一の例の場合、シャボン液に浸漬板７を浸漬するが、図８で図示した他の例の玩具本体３の場合は、浸漬板７や膨出部５といった箇所に分類できないことがあり、玩具本体３の裏面３ｂ側が浸漬板７の役割を有することとなる。すなわち、シャボン液に玩具本体３の裏面３ｂを浸漬することによって、両貫通穴１０の出口（発泡口１７）にはシャボン液の膜５０が張った状態となり、浸漬板７の場合と同様に複合的シャボン玉３００を生成することができる。その他の貫通穴１０の構造等に関しては、一の例の場合と同様である。
【００４４】
凹凸の大きさや位置、凹凸の数は適宜設定できる。
口で吹くことによってシャボン玉を生成することができる筒体２０は、本発明においては、２本使用する構成となっている。すなわち、１本を大きなシャボン玉１００を生成するための筒体２０、もう１本を大きなシャボン玉１００の中に複数の小さなシャボン玉２００を生成するための筒体２０に分類できる。すなわち、この２本の筒体２０をそれぞれ分けて吹くことによって複合的シャボン玉３００を生成することができる。また、２本の筒体２０は、それぞれが略同一、すなわち、略同長、略同内径、略同外径等であることが望ましい。
【００４５】
筒体２０を玩具本体３と別体とした場合、玩具本体３から筒体２０を着脱自在とすることができるが、この場合、市販の筒体２０を利用することもできる。市販の筒体２０の構成の一例として、空気を吹き込む吹き口２１、空気が通り抜ける通路２３を備えた筒本体２２、シャボン玉が生成される発泡口２５からなる。筒本体２２には、シャボン液誤飲防止のための通気穴２４を備える（不図示）。また、発泡口２５の内周面２５ａには液溜り用の多数の突状２６を備えている（図２等参照）。
【００４６】
玩具本体３に立設する２本の筒体２０は適宜間隔を空けており、それぞれが独立している。そして、それぞれが各貫通穴１０に挿入立設し、各筒体２０内の通路２３と各貫通穴１０が連通している（図１０参照）。したがって、吹き口２１から空気を吹き込めば、その空気は筒体２０内の通路２３、発泡口２５（第一段目の穴１１）を通り、その後、第二段目の穴１２を通り、そして貫通穴１０の出口（発泡口１７）から排出される。
【００４７】
受皿３０は、シャボン液を入れておき、このシャボン液に浸漬板７（玩具本体３）を浸漬することができるように上方開放となっており、望ましくは把手３１を備える（図１０参照）。
【００４８】
上述のように、玩具本体３は様々な形状が挙げられており、受皿３０は玩具本体３の形状に合致した形状であることが望ましいが、少なくとも玩具本体３よりも大きければ、受皿３０が玩具本体３の形状に合致していなくてもよい。したがって、少なくとも受皿３０の内縁（内径）が浸漬板７の外縁７ｄ（外径）や玩具本体３の外縁３ｄ（外径）よりも広口であることが望ましい。このような浸漬板７や玩具本体３よりも広口の受皿３０場合、シャボン液が浸漬板７から垂れても受皿３０で受けることができるため、床面を汚すことが少なくなり、衛生的かつ安全である。
【００４９】
本発明を使用して複数のシャボン玉、具体的には、一つの大きなシャボン玉１００の中に複数の小さなシャボン玉２００（多重、複合的シャボン玉３００）を生成する方法について、一の例の玩具本体３に基づいて説明する。
【００５０】
図９では、２本の筒体２０を玩具本体３に立設した本発明を正面から図示している。上述したように、玩具本体３の両貫通穴１０に立設した２本の筒体２０は、１本を大きなシャボン玉１００を生成するための筒体２０、もう１本を大きなシャボン玉１００の中に複数の小さなシャボン玉２００を生成するための筒体２０としている。
【００５１】
最初に、受皿３０にシャボン液を入れ、このシャボン液に浸漬板７を浸漬させた後、浸漬板７を一旦上げる。この作業を行うことによって、貫通穴１０の出口（発泡口１７）にシャボン液を膜状に付着させることができる。すなわち、両貫通穴１０の出口にはシャボン液の膜５０が張った状態となる（図１８参照）。なお、図１８、図１９、図２０中、膜５０は、ハーフトーン（網掛）で表現している。
【００５２】
この状態で大きなシャボン玉１００を生成する１本の筒体２０（この時点においてはどちらの筒体２０であってもよい）にゆっくりと息を吹き込む。すると、息を吹き込んだ筒体２０側の貫通穴１０の出口（発泡口１７）に付着したシャボン液の膜５０が徐々に膨らんで球状の膨らみかけたシャボン玉５５となり（図１９参照）、浸漬板７の裏面７ｂに沿ってさらに膨らみ、浸漬板７の外縁７ｄ一杯に広がる１つの大きいシャボン玉１００を生成することができる（図２０参照）。このようにして、１つの大きいシャボン玉１００が完成する。
【００５３】
１つの大きいシャボン玉１００が浸漬板７の外縁７ｄ一杯に広がった上記の状態のまま、大きなシャボン玉１００の中に複数の小さなシャボン玉２００を生成するため、大きなシャボン玉１００を生成した筒体２０ではないもう一方の筒体２０に息を吹き込む（図２１参照）。ちなみに、大きなシャボン玉１００の中に複数の小さなシャボン玉２００を生成する場合、比較的強く息を吹き込むと複数の小さなシャボン玉２００が生成し易くなる（図２２参照）。このようにして、１つの大きいシャボン玉１００の中に複数の小さなシャボン玉２００を生成させることができる（図２３参照）。
【００５４】
上記の状態では、１つの大きいシャボン玉１００が浸漬板７の外縁７ｄから剥離していないので、素早く玩具本体３を上下左右に動かす等によって、１つの大きいシャボン玉１００を浸漬板７の外縁７ｄから剥離させ、生成した複合的シャボン玉３００を空中に浮遊させることができる（図１６参照）。
【００５５】
以上のような方法により、誰でも簡単に複合的シャボン玉３００を生成することができるため、１つの大きいシャボン玉１００の中に複数の小さなシャボン玉２００を空中に浮遊させて楽しむことができる。
【００５６】
その他、２本の筒体２０、２０を同時に吹くことによって、複数の小さなシャボン玉２００を生成することができる。
【００５７】
上述のとおり、２本の筒体２０はそれぞれが独立しているため、２本の筒体２０が同じ構造や同じ長さ等であるような場合は、複合的シャボン玉３００を生成する際、どちらの筒体２０を吹いても大きなシャボン玉１００を生成することができるため、大きなシャボン玉１００を生成するための筒体２０か、又は、大きなシャボン玉１００の中に複数の小さなシャボン玉２００を生成するための筒体２０かの判別に悩むことがなくなる。
【００５８】
玩具本体３、筒体２０、受皿３０の材質としては、シャボン液に対して耐性があれば、例えば、金属、アルミ等の非鉄金属、木材、竹材等どのような材質であってもよいが、比較的安価で製造が容易な各種樹脂等が望ましい。
【００５９】
本発明の材質を樹脂とした場合、製造方法に関しては特に制限はなく、どのような製造方法で製造してもよい。したがって、射出成形、圧縮成形、押出成形、ブロー成形等、公知の技術を使用することができ、また、３Ｄプリンターで製造してもよい。
【００６０】
上述のとおり、玩具本体３の形状は問わず、また、色彩、模様の有無も問わない。これにより、本発明を商品として販売する際、本発明全体として、また、本発明と商品パッケージ等と合わせて様々な商品形態（販売形態）とすることが考えられる。
【００６１】
具体的には、本発明によって生成されるものは「シャボン玉」であるので、本発明全体や商品パッケージ等を合わせて、「泡」や「鼻提灯」を出す甲殻類や動物、人間等をイメージするような商品形態、パッケージデザインとしてもよい。
【００６２】
例えば、シャボン玉を生成する玩具本体３（浸漬板７）で蟹の口元（出水孔）をイメージした形状等として、その他の本発明の構成物品又は商品パッケージデザイン等で蟹を彷彿とさせるような商品形態が考えられる。また、その他、玩具本体３（浸漬板７）の貫通穴１０、１０で人間の鼻の穴や、ゾウやブタ等の動物の鼻の穴をイメージして、本発明全体又は商品パッケージデザイン等でゾウやブタ等の動物を彷彿とさせるような商品形態が考えられる。
【００６３】
また、人形、張りぼて、各種看板やパネル、さらには、着ぐるみの一部に本発明を装着可能とすることによって人形等と複合的シャボン玉３００との相乗効果を得ることができる。例えば、着ぐるみの蟹の口元（出水孔）に本発明を脱着自在とし、蟹の口元（出水孔）から複合的シャボン玉３００を生成することによって、蟹が口元（出水孔）から泡を吹いたイメージを演出させることができ、イベント等では観客を一層盛り上げられると予想できる。
【００６４】
上記のような商品形態とすることによって、各種イベント、展示会、プロモーションにおいて販促品、ＰＲ品等として有効活用することができる。
【００６５】
以上、各実施形態に基づき本発明を説明したが、本発明は上記実施形態に限定されるものではなく、本発明の趣旨を逸脱しない範囲で、変更を加えてもよいし、各実施形態に記載の技術、又は、その他の公知や周知の技術を組み合わせるようにしてもよい。
【符号の説明】
【００６６】
１：シャボン玉玩具
３：玩具本体
３ｂ：裏面
３ｄ：外縁
５：膨出部
５ａ：周面
５ｂ：表面
５ｄ：外縁
７：浸漬板
７ａ：表面
７ｂ：裏面
７ｄ：外縁
１０貫通穴
１１：第一段目の穴
１１ａ：内周面
１１ｂ：支持凸部
１２：第二段目の穴
１２ａ：内周面
１２ｂ：液溜り凸部
１５：段部
１５ａ：表面
１７：発泡口
２０：筒体
２０ａ：先端
２１：吹き口
２２：筒本体
２３：通路
２４：通気穴
２５：発泡口
２５ａ：内周面
２５ｆ：フランジ
２５ｆ１：裏面
２６：突状
３０：受皿
３１：把手
５０：膜
５５：膨らみかけたシャボン玉
１００：大きなシャボン玉
２００：小さなシャボン玉
３００：複合的シャボン玉
Ｖ：鉛直方向
【要約】
【課題】  誰でも簡単に一つのシャボン玉の中に一つ又は複数のシャボン玉（複合的シャボン玉）を生成することができるシャボン玉玩具を提供する。
【構成】  本発明は、玩具本体と、２本の筒体と、を備えたシャボン玉玩具であって、玩具本体は、浸漬板と膨出部とで構成し、浸漬板の表面から膨出部が膨出した凸形状であり、浸漬板及び膨出部には、鉛直方向に穿設した２つの貫通穴がそれぞれ独立して並列し、２本の筒体はそれぞれが独立し、それぞれが各貫通穴に立設し、各筒体内の通路と各貫通穴が連通していることを特徴とした、シャボン玉玩具である。
【選択図】図９【図１】
0006821287.tif 000002
【図２】
0006821287.tif 000003
【図３】
0006821287.tif 000004
【図４】
0006821287.tif 000005
【図５】
0006821287.tif 000006
【図６】
0006821287.tif 000007
【図７】
0006821287.tif 000008
【図８】
0006821287.tif 000009
【図９】
0006821287.tif 000010
【図１０】
0006821287.tif 000011
【図１１】
0006821287.tif 000012
【図１２】
0006821287.tif 000013
【図１３】
0006821287.tif 000014
【図１４】
0006821287.tif 000015
【図１５】
0006821287.tif 000016
【図１６】
0006821287.tif 000017
【図１７】
0006821287.tif 000018
【図１８】
0006821287.tif 000019
【図１９】
0006821287.tif 000020
【図２０】
0006821287.tif 000021
【図２１】
0006821287.tif 000022
【図２２】
0006821287.tif 000023
【図２３】
0006821287.tif 000024